(57)【要約】【課題】装置全体の厚さを大きくすることなく、白色光を生成する際に発生する光のムラの発生領域を狭くすることができる照明装置を提供する。【解決手段】照明装置は、光源パッケージを備える。光源パッケージは、複数の色の光を夫々発光する複数の光源が１つにパッケージ化されてなる。光源パッケージは、複数の光源より出射される光の出射方向が同じ方向となるように複数並列して配置される。このとき、所定の光源パッケージにおける所定の色の光を発光する光源の所定の光源パッケージに対する相対位置は、所定の光源パッケージと隣接する光源パッケージにおける所定の色の光と同じ色の光を発光する光源の隣接する光源パッケージに対する相対位置と異なる。これにより、複数の光源より出射された各色の光は、効率的に混光されることとなり、光のムラの発生する領域を狭くすることができる。【選択図】図３
2007213838.tif 000002
【特許請求の範囲】
【請求項１】
複数の色の光を夫々発光する複数の光源が１つにパッケージ化されてなる光源パッケージを備え、
前記光源パッケージは、前記複数の光源より出射される光の出射方向が同じ方向となるように複数並列して配置され、
所定の光源パッケージにおける所定の色の光を発光する光源の前記所定の光源パッケージに対する相対位置は、前記所定の光源パッケージと隣接する光源パッケージにおける前記所定の色の光と同じ色の光を発光する光源の前記隣接する光源パッケージに対する相対位置と異なることを特徴とする照明装置。
【請求項２】
前記所定の色の光を発光する光源の前記所定の光源パッケージに対する相対位置は、前記隣接する光源パッケージにおける前記所定の色の光と同じ色の光を発光する光源の前記隣接する光源パッケージに対する相対位置と比較して、略９０°回転された位置にあることを特徴とする請求項１に記載の照明装置。
【請求項３】
前記所定の色の光を発光する光源の前記所定の光源パッケージに対する相対位置は、前記隣接する光源パッケージにおける前記所定の色の光と同じ色の光を発光する光源の前記隣接する光源パッケージに対する相対位置と比較して、略１２０°回転された位置にあることを特徴とする請求項１に記載の照明装置。
【請求項４】
前記所定の光源パッケージと前記隣接する光源パッケージは、光の出射方向に対して、互いにずらされて配置されてなることを特徴とする請求項１乃至３のいずれか一項に記載の照明装置。
【請求項５】
前記複数の色の光は、ＲＧＢの３色の光であることを特徴とする請求項１乃至４のいずれか一項に記載の照明装置。
【請求項６】
前記複数の色の光は、表示パネルに用いられる少なくとも４色の着色層に対応する色の光からなる４色の光であることを特徴とする請求項１乃至４のいずれか一項に記載の照明装置。
【請求項７】
表示パネルと、
表示パネルのバックライトとして用いられる請求項１乃至６のいずれか一項に記載の
照明装置と、を有する電気光学装置。
【請求項８】
請求項７に記載の電気光学装置を表示部に備えることを特徴とする電子機器。
【発明の詳細な説明】
【技術分野】
【０００１】
本発明は、液晶表示装置などに用いられる照明装置に関する。
【背景技術】
【０００２】
液晶表示装置に代表される電気光学装置は、白色光を出射する照明装置と、赤（Ｒ）、緑（Ｇ）、青（Ｂ）といった３色のカラーフィルタを備えた液晶表示パネルなどの表示パネルとによりカラー表示を行っている。照明装置は、出射した白色光を表示パネルに透過することにより、表示パネルを照明している。このような照明装置では、ＬＥＤ（Light Emitting Diode）などのＲＧＢの各色の光を発光する複数の光源が用いられており、照明装置は、これらの光源より発光されたＲＧＢの各色の光を混光することにより、白色光を出射することができる。照明装置において、白色光は、隣り合う複数の光源より出射された光が互いに混光する程度にまで十分に拡散した場所で生成される。一方、隣り合う複数の光源より出射された光が互いに混光する程度にまで十分に拡散していない場所では、いわゆるホットスポット現象と言われる光のムラが生じる。
【０００３】
このため、複数の光源より出射された光が十分に拡散するまでの距離が長いと装置全体の小型化を図ることが難しくなる。下記の特許文献１には、光源及び導光板を多重に積層配置することにより、ＲＧＢの３色の光源より出射された光を立体的に混光させ、光のムラの発生する領域を狭くする技術が記載されている。
【０００４】
なお、下記の特許文献２に示すように、最近では、装置の大型化を防ぐため、ＲＧＢの３色のＬＥＤを１つのパッケージに詰め込んだいわゆる３ｉｎ１ＬＥＤパッケージが照明装置に用いられることがある。
【０００５】
【特許文献１】特開２００５−３１０７５１号公報
【特許文献２】特開２００５−３０２７１２号公報
【発明の開示】
【発明が解決しようとする課題】
【０００６】
しかしながら、特許文献１に記載の技術では、光源及び導光板を多重に積層配置するため、装置全体の厚さが大きくなってしまう。
【０００７】
本発明は上記の点に鑑みてなされたものであり、例えば、３ｉｎ１ＬＥＤパッケージのような、複数の光源を１つのパッケージに詰め込んだ光源パッケージを有する照明装置において、装置全体の厚さを大きくすることなく、白色光を生成する際に発生する光のムラの発生領域を狭くすることを課題とする。
【課題を解決するための手段】
【０００８】
本発明の１つの観点では、照明装置は、複数の色の光を夫々発光する複数の光源が１つにパッケージ化されてなる光源パッケージを備え、前記光源パッケージは、前記複数の光源より出射される光の出射方向が同じ方向となるように複数並列して配置され、所定の光源パッケージにおける所定の色の光を発光する光源の前記所定の光源パッケージに対する相対位置は、前記所定の光源パッケージと隣接する光源パッケージにおける前記所定の色の光と同じ色の光を発光する光源の前記隣接する光源パッケージに対する相対位置と異なる。
【０００９】
上記の照明装置は、例えば、液晶表示装置のバックライトとして用いられるものであり、光源パッケージを備える。光源パッケージは、複数の色の光を夫々発光する複数の光源が１つにパッケージ化されてなる。ここで、光源としては、例えばＬＥＤ（Light Emitting Diode）が用いられる。前記光源パッケージは、前記複数の光源より出射される光の出射方向が同じ方向となるように複数並列して配置される。このとき、所定の光源パッケージにおける所定の色の光を発光する光源の前記所定の光源パッケージに対する相対位置は、前記所定の光源パッケージと隣接する光源パッケージにおける前記所定の色の光と同じ色の光を発光する光源の前記隣接する光源パッケージに対する相対位置と異なる。これにより、前記複数の光源より出射された各色の光は、拡散するに伴い、光源パッケージの配列方向に効率的に混光されることとなり、光のムラの発生する領域を狭くすることができる。
【００１０】
上記の照明装置の好適な実施例は、前記所定の色の光を発光する光源の前記所定の光源パッケージに対する相対位置は、前記隣接する光源パッケージにおける前記所定の色の光と同じ色の光を発光する光源の前記隣接する光源パッケージに対する相対位置と比較して、略９０°回転された位置にある。
【００１１】
上記の照明装置の好適な実施例は、前記所定の色の光を発光する光源の前記所定の光源パッケージに対する相対位置は、前記隣接する光源パッケージにおける前記所定の色の光と同じ色の光を発光する光源の前記隣接する光源パッケージに対する相対位置と比較して、略１２０°回転された位置にある。
【００１２】
上記の照明装置の一態様は、前記所定の光源パッケージと前記隣接する光源パッケージは、光の出射方向に対して、互いにずらされて配置されてなる。これにより、光が混光して白色光となるまでの距離を短くすることができ、光のムラの発生する領域を狭くすることができる。
【００１３】
上記の照明装置の好適な実施例は、前記複数の色の光は、ＲＧＢの３色の光である。
【００１４】
上記の照明装置の他の一態様は、前記複数の色の光は、表示パネルに用いられる少なくとも４色の着色層に対応する色の光からなる４色の光である。このように、４色の色の光を発光する光源であっても本発明を適用することにより、光のムラの発生する領域を狭くすることができる。
【００１５】
本発明の他の観点では、表示パネルと、表示パネルのバックライトとして用いられる照明装置とを有する電気光学装置を構成することができる。ここで、電気光学装置は、例えば、液晶表示装置である。前記照明装置として、本発明の照明装置を用いることができる。
【００１６】
本発明の更なる他の観点では、上記の電気光学装置を表示部に備えることを特徴とする電子機器を構成することができる。
【発明を実施するための最良の形態】
【００１７】
以下、図面を参照して本発明を実施するための最良の形態について説明する。
【００１８】
［第１実施形態］
まず、図１及び図２を参照して、第１実施形態に係る液晶表示装置１００の構成等について説明する。
【００１９】
図１は、第１実施形態に係る液晶表示装置１００の概略構成を模式的に示す平面図である。図１では、紙面手前側（観察側）にカラーフィルタ基板９２が、また、紙面奥側に素子基板９１が夫々配置されている。なお、図１では、紙面縦方向（列方向）をＹ方向と、また、紙面横方向（行方向）をＸ方向と規定する。また、図１において、Ｒ（赤）、Ｇ１（緑１）、Ｂ（青）、Ｇ２（緑２）に対応する各領域は１つのサブ画素ＳＧを示していると共に、Ｒ、Ｇ１、Ｂ、Ｇ２に対応する１行４列のサブ画素ＳＧは、１つの表示画素ＡＧを示している。ここで、Ｇ１（緑１）、Ｇ２（緑２）は、青から黄までの色相の中で選択された２種の色相である。第１実施形態では、一例として、Ｇ１（緑１）は、一般的にＧで示される純粋な緑を示し、Ｇ２(緑２）は、黄緑を示すこととする。
【００２０】
図２は、液晶表示装置１００における切断線Ａ−Ａ´に沿った１つの表示画素ＡＧの拡大断面図である。図２に示すように、液晶表示装置１００は、照明装置１０と、液晶表示パネル３０と、拡散シート１４と、プリズムシート１５と、反射シート１６より構成される。液晶表示パネル３０は、素子基板９１と、その素子基板９１に対向して配置されるカラーフィルタ基板９２とが枠状のシール材５を介して貼り合わされ、そのシール材５の内側に液晶が封入されて液晶層４が形成されてなる。液晶層４に用いられる液晶は、例えばＴＮ（Twisted Nematic）型液晶である。液晶表示パネル３０の素子基板９１の外面上には、照明装置１０が備えられている。
【００２１】
第１実施形態に係る液晶表示装置１００は、Ｒ、Ｇ１、Ｂ、Ｇ２の４色を用いて構成されるカラー表示用の液晶表示装置であると共に、スイッチング素子としてα−Ｓｉ型ＴＦＴ（Thin Film Transistor）素子を用いたアクティブマトリクス駆動方式の液晶表示装置である。
【００２２】
素子基板９１の平面構成について説明する。素子基板９１の内面上には、主として、複数のソース線３２、複数のゲート線３３、複数のα−Ｓｉ型ＴＦＴ素子３７、複数の画素電極３４、ドライバＩＣ４０、外部接続用配線３５及びＦＰＣ（Flexible Printed Circuit）４１などが形成若しくは実装されている。
【００２３】
図１に示すように、素子基板９１は、カラーフィルタ基板９２の一辺側から外側へ張り出してなる張り出し領域３１を有しており、その張り出し領域３１上には、ドライバＩＣ４０が実装されている。ドライバＩＣ４０の入力側の端子（図示略）は、複数の外部接続用配線３５の一端側と電気的に接続されていると共に、複数の外部接続用配線３５の他端側はＦＰＣ４１と電気的に接続されている。各ソース線３２は、Ｙ方向に延在するように且つＸ方向に適宜の間隔をおいて形成されており、各ソース線３２の一端側は、ドライバＩＣ４０の出力側の端子（図示略）に電気的に接続されている。
【００２４】
各ゲート線３３は、Ｙ方向に延在するように形成された第１配線３３ａと、その第１配線３３ａの終端部からＸ方向に延在するように形成された第２配線３３ｂとを備えている。各ゲート線３３の第２配線３３ｂは、各ソース線３２と交差する方向、即ちＸ方向に延在するように且つＹ方向に適宜の間隔をおいて形成されており、各ゲート線３３の第１配線３３ａの一端側は、ドライバＩＣ４０の出力側の端子（図示略）に電気的に接続されている。各ソース線３２と各ゲート線３３の第２配線３３ｂの交差に対応する位置にはα−ＴＦＴ素子３７が設けられており、各α−ＴＦＴ素子３７は各ソース線３２、各ゲート線３３及び各画素電極３４等に電気的に接続されている。各α−ＴＦＴ素子３７及び各画素電極３４は、ガラスなどの基板１上の各サブ画素ＳＧに対応する位置に設けられている。各画素電極３４は、例えばＩＴＯ（Indium-Tin Oxide）などの透明導電材料により形成されている。
【００２５】
１つの表示画素ＡＧがＸ方向及びＹ方向に複数個、マトリクス状に並べられた領域が有効表示領域Ｖ（２点鎖線により囲まれる領域）である。この有効表示領域Ｖに、文字、数字、図形等の画像が表示される。なお、有効表示領域Ｖの外側の領域は表示に寄与しない額縁領域３８となっている。また、各ソース線３２、各ゲート線３３、各α−ＴＦＴ素子３７、及び各画素電極３４等の内面上には、図示しない配向膜が形成されている。
【００２６】
次に、カラーフィルタ基板９２の平面構成について説明する。図２に示すように、カラーフィルタ基板９２は、ガラスなどの基板２上に、遮光層（一般に「ブラックマトリクス」と呼ばれ、以下では、単に「ＢＭ」と略記する）、Ｒ、Ｇ１、Ｂ、Ｇ２の４色の着色層６Ｒ、６Ｇ１、６Ｂ、６Ｇ２及び共通電極８などを有する。ＢＭは、各色のサブ画素ＳＧを区画する位置に形成されている。なお、以下の説明もしくは図面において、Ｒ、Ｇ１、Ｂ、Ｇ２の色を特定することなく構成要素を示す場合には、単に「着色層６」のように記し、Ｒ、Ｇ１、Ｂ、Ｇ２の色を区別して構成要素を示す場合には、例えば「着色層６Ｒ」のように記すこととする。Ｒ、Ｇ１、Ｂ、Ｇ２の各色のサブ画素ＳＧは、Ｒ、Ｇ１、Ｂ、Ｇ２の着色層６Ｒ、６Ｇ１、６Ｂ、６Ｇ２の夫々を有している。このＲ、Ｇ１、Ｂ、Ｇ２の着色層６Ｒ、６Ｇ１、６Ｂ、６Ｇ２が、夫々の色のカラーフィルタとして機能する。共通電極８は、画素電極と同様にＩＴＯなどの透明導電材料からなり、カラーフィルタ基板９２の略一面に亘って形成されている。共通電極８は、シール材５の隅の領域Ｅ１において配線３６の一端側と電気的に接続されていると共に、当該配線３６の他端側は、ドライバＩＣ４０のＣＯＭに対応する出力端子と電気的に接続されている。
【００２７】
次に、照明装置１０について説明する。照明装置１０は、導光板１１と光源部１２より構成される。光源部１２は、導光板１１の端面１１ｃに対し光Ｌを出射する。光源部１２は、後に詳しく述べるが、光源として複数のＬＥＤ（Light Emitting Diode）１３を有する。
【００２８】
光源部１２より出射した光Ｌは、導光板１１の端面（以下、「入光端面」と称す）１１ｃより導光板１１内へ入り、導光板１１の出射面１１ａ、反射面１１ｂで反射を繰り返すことにより方向を変える。光Ｌは、導光板１１の出射面１１ａと光Ｌのなす角が臨界角を超えると、導光板１１の出射面１１ａより液晶表示パネル３０へ向けて出射する。光Ｌは、導光板１１の反射面１１ｂと光Ｌのなす角が臨界角を超えると、導光板１１の反射面１１ｂより出射する。しかし、導光板１１の反射面１１ｂより出射した光は、光を反射する反射シート１６によって反射され、導光板１１内部へ戻される。
【００２９】
導光板１１の出射面１１ａより液晶表示パネル３０へ向けて出射した光Ｌは、拡散シート１４、プリズムシート１５を透過した後、液晶表示パネル３０を透過する。拡散シート１４は、光Ｌを拡散して出射する。プリズムシート１５は、プリズムシート１５ａ、１５ｂより構成される。プリズムシート１５ａ、１５ｂは夫々、断面形状が略三角形となるプリズム形状を全面に有しており、光Ｌを液晶表示パネル３０に向けて出射する。なお、プリズムシート１５ａ、１５ｂは、プリズム形状のプリズムの稜線が互いに略垂直となる配置とされる。液晶表示装置１００は、光Ｌが液晶表示パネル３０を透過することによって照明される。これにより、液晶表示装置１００は、文字、数字、図形等の画像を表示することができ、観測者が画像を視認することができる。
【００３０】
液晶表示装置１００では、電子機器のメイン基板等と接続されたＦＰＣ４１側からの信号及び電力等に基づき、ドライバＩＣ４０によって、Ｇ１、Ｇ２、・・・、Ｇｍ−１、Ｇｍ（ｍは自然数）の順にゲート線３３が順次排他的に１本ずつ選択されるとともに、選択されたゲート線３３には、選択電圧のゲート信号が供給される一方、他の非選択のゲート線３３には、非選択電圧のゲート信号が供給される。そして、ドライバＩＣ４０は、選択されたゲート線３３に対応する位置にある画素電極３４に対し、表示内容に応じたソース信号を、それぞれ対応するＳ１、Ｓ２、・・・、Ｓｎ−１、Ｓｎ（ｎは自然数）のソース線３２及びα−ＴＦＴ素子３７を介して供給する。その結果、液晶層４の配向状態が制御され、液晶表示装置１００の表示状態が、非表示状態または中間表示状態に切り替えられることとなる。
【００３１】
なお、第１実施形態に係る液晶表示装置１００は、完全透過型の液晶表示装置として示しているが、これに限られず、代わりに半透過反射型の液晶表示装置を用いるとすることもできる。また、液晶表示パネル３０は、スイッチング素子として、α−ＴＦＴ素子３７を用いるとしているが、これに限られず、代わりにポリシリコンＴＦＴやＴＦＤ（Thin Film Diode）素子を用いるとすることもできる。さらに、第１実施形態に係る液晶表示装置１００は、カラーフィルタとして、着色層６Ｒ、６Ｇ１、６Ｂ、６Ｇ２の４色より構成されるとしているが、これに限られず、代わりに、一般的な液晶表示装置と同様、ＲＧＢの３色のカラーフィルタより構成されるとしてもよい。
【００３２】
さらに、液晶表示パネル３０としては、上述したようなＴＮ液晶からなる液晶層を有する液晶表示パネルには限られず、代わりに、ＶＡ（Vertical Alignment）方式、ＩＰＳ（In Plane Switching）方式、ＦＦＳ（Fringe Field Structure）方式などの液晶表示パネルを用いるとすることもできる。
【００３３】
なお、第１実施形態では、表示パネルとして液晶表示パネルを用いているが、これに限られるものではなく、代わりに表示パネルとして、電気泳動ディスプレイパネルなどの他の表示パネルを用いるとすることもできる。
【００３４】
（照明装置の構成）
次に、第１実施形態に係る照明装置１０の構成について具体的に述べる。照明装置１０は、先にも述べたように、光源部１２と導光板１１より構成される。
【００３５】
図３は、第１実施形態に係る光源部１２の構成を示す斜視図である。図４は、第１実施形態に係る照明装置１０の平面図である。図３に示すように、光源部１２は、フレキシブル基板７２と、フレキシブル基板７２上に配置されている複数の光源パッケージ７１より構成される。光源パッケージ７１には、複数の色の光を夫々発光する複数の光源が１つのパッケージ化されている。図３に示す光源部１２では、光源パッケージ７１に対し、ＲＧＢの各色の光を夫々発光するＬＥＤ１３Ｒ、１３Ｇ、１３Ｂが１つにパッケージ化されている。複数の光源パッケージ７１は、ＬＥＤ１３Ｒ、１３Ｇ、１３Ｂより出射される光の出射方向が同じ方向となるように並列して配置されている。図４に示すように、ＬＥＤ１３Ｒ、１３Ｇ、１３Ｂより出射される光の出射方向には、導光板１１の入光端面１１ｃが対向して配置され、ＬＥＤ１３Ｒ、１３Ｇ、１３Ｂより出射された光は、導光板１１の入光端面１１ｃに入射する。ＬＥＤ１３Ｒ、１３Ｇ、１３Ｂより出射された光は、拡散するに伴い、互いに混光して白色光たる光Ｌとなる。
【００３６】
ここで、光源パッケージ７１の構成について述べる。図５は、図３において切断線Ｂ−Ｂ´に沿った１つの光源パッケージ７１の拡大断面図である。光源パッケージ７１は、主に、反射枠体７３と、ＲＧＢの各色の光を発光するＬＥＤ１３より構成される。反射枠体７３は、樹脂などにより形成され、すり鉢状の凹部を有しており、凹部の内面にはメッキ処理等により光を反射する反射膜が形成されている。図５に示す光源パッケージ７１の拡大断面図は、図３において切断線Ｂ−Ｂ´に沿ったものであるので、赤色ＬＥＤ１３Ｒのみが示されているが、実際には、ＲＧＢの各色の光を夫々発光する各色のＬＥＤ１３が、反射枠体７３の凹部の底面に設置されている。反射枠体７３の凹部の底面には、電極７５、７６が設置されている。電極７５、７６の一端は、反射枠体７３の外部、具体的には、フレキシブル基板７２上に設置されているＬＥＤ１３を駆動するための図示しない駆動回路と接続されている。一方、電極７５、７６の他端は、ＬＥＤ１３と接続されている。例えば、図３に示すように、赤色ＬＥＤ１３のアノード７７は電極７５と接続され、赤色ＬＥＤ１３Ｒのカソード７８は電極７６と接続される。赤色ＬＥＤ１３Ｒは、電極７５、７６を介して駆動回路と接続されている。赤色ＬＥＤＲは、外部より電流Ｉｒが流されることで、赤色光を発光する。電流Ｉｒの電流量を大きくすれば、赤色ＬＥＤ１３Ｒより出射される赤色光の光度は、大きくなり、電流Ｉｒの電流量を小さくすれば、赤色ＬＥＤ１３Ｒより出射される赤色光の光度は、小さくなる。
【００３７】
緑色ＬＥＤ１３Ｇ、青色ＬＥＤ１３Ｂについても同様に夫々、アノード、カソードが夫々、反射枠体７３の外部と接続されている電極と接続される。そして、緑色ＬＥＤ１３Ｇ、青色ＬＥＤ１３Ｂも夫々、当該電極を介して駆動回路と接続されている。緑色ＬＥＤ１３Ｇ、青色ＬＥＤ１３Ｂは、夫々、外部より電流Ｉｇ、Ｉｂが流されることで、緑色光、青色光を発光する。電流Ｉｇ、Ｉｂの電流量を大きくすれば、緑色ＬＥＤ１３Ｇ、青色ＬＥＤ１３Ｂより出射される緑色光、青色光の光度は、夫々大きくなり、電流Ｉｇ、Ｉｂの電流量を小さくすれば、緑色ＬＥＤ１３Ｇ、青色ＬＥＤ１３Ｂより出射される緑色光、青色光の光度は、夫々小さくなる。
【００３８】
反射枠体７３は、その凹部の底面にＲＧＢの各色の光を夫々発光するＬＥＤ１３が設置された後、透明な樹脂７４によって封止され、光源パッケージ７１が完成する。なお、ここで、樹脂７４の最上面、言い換えると光源パッケージ７１の光の出射面にレンズを配置するとしても良い。例えば、当該レンズとして、凹レンズを配置すれば、各色のＬＥＤ１３より出射される光をより拡散することができる。
【００３９】
図６に、光源パッケージ７１及び駆動回路５１の模式図を示す。図６では、一例として、２つの光源パッケージ７１を示す。夫々の光源パッケージ７１には、図３に示すように、ＲＧＢの各色のＬＥＤ１３Ｒ、１３Ｇ、１３Ｂが、１つずつ備えられている。つまり、図６に示すように、２つの光源パッケージ７１のうち、一方の光源パッケージ７１に、赤色ＬＥＤ１３Ｒ１、緑色ＬＥＤ１３Ｇ１、青色ＬＥＤ１３Ｂ１が備えられ、他方の光源パッケージ７１に、赤色ＬＥＤ１３Ｒ２、緑色ＬＥＤ１３Ｇ２、青色ＬＥＤ１３Ｂ２が備えられるとする。
【００４０】
赤色ＬＥＤ１３Ｒ１、１３Ｒ２は、電気的に直列接続される。直列接続された赤色ＬＥＤ１３Ｒ１、１３Ｒ２は、赤色ＬＥＤ駆動回路５１Ｒによって電流Ｉｒが流される。図５に、赤色ＬＥＤ１３Ｒ１、１３Ｒ２に流される電流の流れを実線矢印で示す。これにより、赤色ＬＥＤ１３Ｒ１、１３Ｒ２には、どちらにも電流Ｉｒが流され、赤色ＬＥＤ１３Ｒ１、１３Ｒ２は、どちらも同じ光度の赤色光を発光することができる。
【００４１】
図６に、緑色ＬＥＤ１３Ｇ１、１３Ｇ２、青色ＬＥＤ１３Ｂ１、１３Ｂ２夫々に流される電流の流れについても破線矢印で示す。
【００４２】
緑色ＬＥＤ１３Ｇ１、１３Ｇ２は、電気的に直列接続される。直列接続された緑色ＬＥＤ１３Ｇ１、１３Ｇ２は、緑色ＬＥＤ駆動回路５１Ｇによって電流Ｉｇが流される。これにより、緑色ＬＥＤ１３Ｇ１、１３Ｇ２には、どちらにも電流Ｉｇが流され、緑色ＬＥＤ１３Ｇ１、１３Ｇ２は、どちらも同じ光度の緑色光を発光することができる。
【００４３】
青色ＬＥＤ１３Ｂ１、１３Ｂ２も、電気的に直列接続される。直列接続された２つの青色ＬＥＤ１３Ｂ１、１３Ｂ２は、青色ＬＥＤ駆動回路５１Ｂによって電流Ｉｂが流される。これにより、青色ＬＥＤ１３Ｂ１、１３Ｂ２には、どちらにも電流Ｉｂが流され、青色ＬＥＤ１３Ｂ１、１３Ｂ２は、どちらも同じ光度の青色光を発光することができる。
【００４４】
図７に、一例として、第１実施形態に係る赤色ＬＥＤ駆動回路５１Ｒの回路図を示す。赤色ＬＥＤ駆動回路５１Ｒは、電流制限抵抗Ｒｒと、電源Ｖｒより構成される。電流制限抵抗Ｒｒの大きさは、赤色ＬＥＤ１３Ｒ１、１３Ｒ２に流すことのできる電流Ｉｒの許容値によって決まる。電源Ｖｒは、赤色ＬＥＤ１３Ｒ１、１３Ｒ２にパルス電流を供給する。赤色ＬＥＤ１３Ｒ１、１３Ｒ２に供給されるパルス電流の幅及びタイミングは、電源Ｖｒを制御することによって変えられる。緑色ＬＥＤ駆動回路５１Ｇ、青色ＬＥＤ駆動回路５１Ｂの夫々についても、赤色ＬＥＤ駆動回路５１Ｒと同様、電気的に接続されている緑色ＬＥＤ１３Ｇ１、１３Ｇ２、青色ＬＥＤ１３Ｂ１、１３Ｂ２の夫々にパルス電流を供給するための電源を夫々有する。
【００４５】
以上のことから分かるように、第１実施形態に係る光源部１２では、ＲＧＢの各色のＬＥＤ１３は、各色ごとにＬＥＤ駆動回路５１を有している。また、各色のＬＥＤ１３に夫々接続されたＬＥＤ駆動回路５１は、電気的に接続されている各色のＬＥＤ１３にパルス電流を供給し、かつ制御する電源を有する。このように各色のＬＥＤ毎にＬＥＤ駆動回路が設けられることで、各色のＬＥＤ毎に別々にパルス電流をかけることができる。
【００４６】
図８は、第１実施形態に係る照明装置１０における各色のＬＥＤ１３の駆動シーケンスを示したタイミングチャートの一例である。図８において、各色のＬＥＤ１３の「ＯＮ」は点灯状態を、「ＯＦＦ」は消灯状態を示す。例えば、図６で言うと、赤色ＬＥＤ１３Ｒが「ＯＮ」となるときは、赤色ＬＥＤ１３Ｒ１、１３Ｒ２の両方が点灯し、赤色ＬＥＤ１３Ｒが「ＯＦＦ」となるときは、赤色ＬＥＤ１３Ｒ１、１３Ｒ２の両方が消灯する。図８において、緑色ＬＥＤ１３Ｇ、青色ＬＥＤ１３Ｂの「ＯＮ」及び「ＯＦＦ」となるときについても同様に、緑色ＬＥＤ１３Ｇ１、１３Ｇ２の両方、青色ＬＥＤ１３Ｂ１、１３Ｂ２の両方が夫々、点灯及び消灯する。
【００４７】
第１実施形態に係る照明装置１０では、各色のＬＥＤ１３は、時分割的に点灯する構成となる。以下において、各色のＬＥＤ１３が「ＯＮ」となっている期間を点灯期間と呼び、各色のＬＥＤ１３が「ＯＦＦ」となっている期間を非点灯期間と呼ぶこととする。照明装置１０より出射する光Ｌの色度や液晶表示パネル３０の表示画面の色度は、１フレーム期間中における、ＲＧＢの各色のＬＥＤ１３の点灯期間を変えることにより、所定の色度に調整される。このようにすることで、ＲＧＢの各色のＬＥＤ１３に定電流を流して常時点灯するよりも、ＲＧＢの各色のＬＥＤ１３の点灯時間を短くすることができ、消費電力の低減を図ることができる。
【００４８】
各色のＬＥＤ１３が時分割的に点灯している場合、人間の目には、各色のＬＥＤ１３が、夫々点灯している期間によって、光Ｌの色合いが異なって見える。具体的には、光Ｌの色は、１フレーム期間中において、点灯期間の長いＬＥＤ１３から出射される光の色の成分が濃くなり、点灯期間の短いＬＥＤ１３から出射される光の色の成分が薄くなる。一般的には、１フレーム期間は１／６０秒程度とされるため、各色のＬＥＤ１３が時分割的に点灯しても、残像効果により、人間の目にとって色の変化が認識されることはない。
【００４９】
図３に戻り、光源部１２における光源パッケージ７１における各色のＬＥＤ１３の配置構造について詳しく述べる。
【００５０】
一般的な３色の光源チップを１つのパッケージにまとめた３ｉｎ１ＬＥＤパッケージが用いられた照明装置では、所定の光源パッケージ７１における所定の色の光を発光するＬＥＤ１３の当該所定の光源パッケージ７１に対する相対位置は、前記所定の光源パッケージ７１と隣接する光源パッケージ７１におけるＬＥＤ１３の当該隣接する光源パッケージ７１に対する相対位置と同じ位置とされる。それに対し、第１実施形態に係る照明装置１０では、所定の光源パッケージ７１における所定の色の光を発光するＬＥＤ１３の当該所定の光源パッケージ７１に対する相対位置は、前記所定の光源パッケージ７１と隣接する光源パッケージ７１におけるＬＥＤ１３の当該隣接する光源パッケージ７１に対する相対位置と異なる位置とされる。
【００５１】
図３に示す光源部１２の例では、所定の光源パッケージ７１における所定の色の光を発光するＬＥＤ１３の当該所定の光源パッケージ７１に対する相対位置は、それと隣接する光源パッケージ７１における当該所定の色と同じ色の光を発光するＬＥＤ１３の当該隣接する光源パッケージ７１に対する相対位置と比較して、略９０°回転された位置にある。例えば、矢印ａｒｇに示すように、所定の光源パッケージ７１における赤色光を発光するＬＥＤ１３Ｒの当該所定の光源パッケージ７１に対する相対位置は、前記所定の光源パッケージ７１と隣接する光源パッケージ７１におけるＬＥＤ１３Ｒの当該隣接する光源パッケージ７１に対する相対位置と比較して、略９０°回転された位置にある。このようにすることで、第１実施形態に係る照明装置１０では、互いに隣接する光源パッケージ７１において、フレキシブル基板７２からの高さが同じ高さの位置にある夫々の光源パッケージ７１のＬＥＤ１３より発光される光は、破線Ｈｑの囲みで示すように、互いに異なる色の光となる。これにより、第１実施形態に係る照明装置１０では、各色のＬＥＤ１３より出射された各色の光は、拡散するに伴い、光源パッケージ７１の配列方向Ａｒに効率的に混光されることとなり、光のムラの発生する領域を狭くすることができる。
【００５２】
また、一般的な３色の光源チップを１つのパッケージにまとめた３ｉｎ１ＬＥＤパッケージが用いられた照明装置と比較して、第１実施形態に係る照明装置１０は、光源部１２における各色のＬＥＤ１３の配置を変えているだけである。従って、第１実施形態に係る照明装置１０は、一般的な３ｉｎ１ＬＥＤパッケージ照明装置と比較して、装置全体の厚さを大きくする必要がない。
【００５３】
以上のことから分かるように、第１実施形態に係る照明装置１０では、所定の光源パッケージ７１における所定の色の光を発光するＬＥＤ１３の当該所定の光源パッケージ７１に対する相対位置を、前記所定の光源パッケージ７１と隣接する光源パッケージ７１におけるＬＥＤ１３の当該隣接する光源パッケージ７１に対する相対位置と異ならせている。これにより、第１実施形態に係る照明装置１０は、一般的な３ｉｎ１ＬＥＤパッケージ照明装置と比較して、装置全体の厚さを大きくすることなく、光源パッケージ７１の配列方向にも光を効率的に混光することができ、光のムラの発生する領域を狭くすることができる。
【００５４】
[第２実施形態]
次に、本発明の第２実施形態について説明する。第２実施形態に係る液晶表示装置１００は、第１実施形態に係る液晶表示装置１００と略同じ構成となる。第２実施形態に係る液晶表示装置１００は、照明装置１０における光源パッケージ７１の配列構造の点で、第１実施形態に係る液晶表示装置１００とは異なる。
【００５５】
第２実施形態に係る照明装置１０の構成について具体的に述べる。照明装置１０は、先にも述べたように、光源部１２と導光板１１より構成される。
【００５６】
図９は、第２実施形態に係る光源部１２の構成を示す斜視図である。図１０は、第２実施形態に係る照明装置１０を示す平面図である。光源部１２は、フレキシブル基板７２と、フレキシブル基板７２上に配置されている複数の光源パッケージ７１ａ、７１ｂより構成される。光源パッケージ７１ａ、７１ｂはどちらも同じ構造を有する光源パッケージ７１であり夫々、ＲＧＢの各色の光を夫々発光するＬＥＤ１３Ｒ、１３Ｇ、１３Ｂがパッケージ化されている。第２実施形態では、第１実施形態と同様、全ての光源パッケージ７１ａ、７１ｂは、ＬＥＤ１３Ｒ、１３Ｇ、１３Ｂより出射される光の出射方向が同じ方向となるように並列して配置されている。しかし、第２実施形態に係る照明装置１０では、所定の光源パッケージ７１ａとそれと隣接する光源パッケージ７１ｂは、光の出射方向に対して、互いにずらされて配置されている。図１０に示すように、ＬＥＤ１３Ｒ、１３Ｇ、１３Ｂより出射される光の出射方向には、導光板１１の入光端面１１ｃが対向して配置され、ＬＥＤ１３Ｒ、１３Ｇ、１３Ｂより出射された光は、導光板１１の入光端面１１ｃに入射する。ＬＥＤ１３Ｒ、１３Ｇ、１３Ｂより出射された光は、拡散するに伴い、互いに混光して光Ｌとなる。
【００５７】
また、図１０に示すように、光源パッケージ７１ｂは、光源パッケージ７１ａと比較して、入光端面１１ｃまでの距離が長くとられている。従って、光源パッケージ７１ｂのＬＥＤ１３より出射した光は、光源パッケージ７１ａのＬＥＤ１３より出射した光よりも早く拡散することとなる。そのため、第２実施形態に係る照明装置１０では、第１実施形態に係る照明装置１０と比較して、光源部１２から光が混光して白色光となるまでの距離を短くすることができ、光のムラの発生する領域を狭くすることができる。
【００５８】
なお、図９に示すように、光源パッケージ７１ｂは、光源パッケージ７１ａと比較して、光の出射方向に対し、後方にずれている。従って、このとき、図１０に示すように、光源パッケージ７１ａの光の出射面と光源パッケージ７１ｂの背面（光源パッケージ７１ｂの出射面と対向する面）の間の距離ｌｄ２は、１つの光源パッケージ７１本体の光の出射面とその背面の間の距離ｌｄ１の１．２〜１．５倍程度となる。しかし、図１０に示すように、フレキシブル基板７２の範囲内に、光源パッケージ７１ａ、７１ｂを収める限りにおいては、第２実施形態に係る照明装置１０は、第１実施形態に係る照明装置１０の大きさと同じ大きさで形成することができる。
【００５９】
[変形例]
次に、上記の各実施形態についての変形例について述べる。図１１〜図１３は、変形例に係る光源部１２の構成を示す斜視図である。
【００６０】
上述の各実施形態では、所定の光源パッケージ７１における所定の色の光を発光するＬＥＤ１３の当該所定の光源パッケージ７１に対する相対位置は、それと隣接する光源パッケージ７１における当該所定の色と同じ色の光を発光するＬＥＤ１３の当該隣接する光源パッケージ７１に対する相対位置と比較して、略９０°回転された位置にあるとしているが、この相対位置の回転角度は略９０°に限られるものではないのは言うまでもない。所定の光源パッケージ７１における所定の色の光を発光するＬＥＤ１３の当該所定の光源パッケージ７１に対する相対位置を、前記所定の光源パッケージ７１と隣接する光源パッケージ７１におけるＬＥＤ１３の当該隣接する光源パッケージ７１に対する相対位置と異ならせる限りにおいては、ＬＥＤ１３の相対位置の回転角度としては任意の角度をとることが可能であり、更に言えば、ＬＥＤ１３の相対位置としてはランダムに位置をとることが可能である。
【００６１】
図１１に示す光源部１２の例では、所定の光源パッケージ７１における所定の色の光を発光するＬＥＤ１３の当該所定の光源パッケージ７１に対する相対位置は、それと隣接する光源パッケージ７１における当該所定の色と同じ色の光を発光するＬＥＤ１３の当該隣接する光源パッケージ７１に対する相対位置と比較して、略１２０°回転された位置にある。例えば、矢印ａｒｇ２に示すように、所定の光源パッケージ７１における赤色光を発光するＬＥＤ１３Ｒの当該所定の光源パッケージ７１に対する相対位置は、前記所定の光源パッケージ７１と隣接する光源パッケージ７１におけるＬＥＤ１３Ｒの当該隣接する光源パッケージ７１に対する相対位置と比較して、略１２０°回転された位置にある。図１１に示す光源部１２を有する照明装置１０においても、互いに隣接する光源パッケージ７１において、フレキシブル基板７２からの高さが同じ高さの位置にある夫々の光源パッケージ７１のＬＥＤ１３より発光される光は、互いに異なる色の光となる。従って、このときも、各色のＬＥＤ１３より出射された各色の光は、拡散するに伴い、光源パッケージ７１の配列方向にも、効率的に混光されることとなる。以上より、図１１に示す光源部１２を有する照明装置１０においても、一般的な照明装置と比較して、装置全体の厚さを大きくすることなく、光のムラの発生する領域を狭くすることができる。
【００６２】
また、光源パッケージ７１にパッケージ化されるＬＥＤ１３としては、ＲＧＢの３色のＬＥＤには限られず、代わりに、４色以上のＬＥＤを用いるとしてもよい。例えば、光源パッケージ７１にパッケージ化されるＬＥＤ１３として、ＲＧＢの３色のＬＥＤの他に、ＲＧＢのうち、いずれか一つの色と補色関係にある色の光を発光するＬＥＤを加えた、計４色のＬＥＤを用いるとすることもできる。
【００６３】
図１２及び図１３は、光源パッケージ７１にパッケージ化されるＬＥＤ１３として、ＲＧＢの３色のＬＥＤの他に、Ｂと補色関係にある黄色（Ｙ）の光を発光するＬＥＤを加えた、計４色のＬＥＤを用いた光源部１２の例を示している。
【００６４】
図１２に示す光源部１２の例では、所定の光源パッケージ７１における所定の色の光を発光するＬＥＤ１３の当該所定の光源パッケージ７１に対する相対位置は、それと隣接する光源パッケージ７１における当該所定の色と同じ色の光を発光するＬＥＤ１３の当該隣接する光源パッケージ７１に対する相対位置と比較して、略９０°回転された位置にある。
【００６５】
図１３に示す光源部１２の例では、所定の光源パッケージ７１における所定の色の光を発光するＬＥＤ１３の当該所定の光源パッケージ７１に対する相対位置は、それと隣接する光源パッケージ７１における当該所定の色と同じ色の光を発光するＬＥＤ１３の当該隣接する光源パッケージ７１に対する相対位置と比較して、略１２０°回転された位置にある。なお、図１３に示す光源部１２の例では、所定の色とは、ＲＧＢの３色を示し、Ｙの色を発光するＬＥＤ１３は、ＲＧＢの色の光を発光するＬＥＤ１３を結ぶ三角形の中心に備えられているとしているが、これに限られない。代わりに、所定の光源パッケージ７１における所定の色の光を発光するＬＥＤ１３の当該所定の光源パッケージ７１に対する相対位置を、それと隣接する光源パッケージ７１における当該所定の色と同じ色の光を発光するＬＥＤ１３の当該隣接する光源パッケージ７１に対する相対位置と異ならせる限りにおいては、ＲＧＢＹの色の光を発光する４色のＬＥＤをどの位置に配置しても良い。
【００６６】
図１２及び図１３に示すように、４色のＬＥＤ１３を配置した光源部１２を有する照明装置１０においても、当該４色のＬＥＤ１３より出射された各色の光は、拡散するに伴い、光源パッケージ７１の配列方向にも、効率的に混光されることとなり、光のムラの発生する領域を狭くすることができる。
【００６７】
なお、４色目のＬＥＤを３色のいずれかの補色関係にある色に限定されるものでない。
【００６８】
４つのＬＥＤは後述する表示パネルのカラーフィルタの４色の着色層に対応する色であると望ましい。
【００６９】
なお、上記の各実施形態では、各色のＬＥＤ１３には、パルス電流が供給されるとしているが、これに限られるものではなく、代わりに定電流が供給されるとしても良いのは言うまでもない。
【００７０】
［他の実施例］
上記の説明では、カラーフィルタとして機能する着色層の色（着色領域）としてＲ、Ｇ１、Ｂ、Ｇ２を挙げて説明したが、本発明の適用はこれには限定されず、他の４色の着色領域により１表示画素を構成することもできる。
【００７１】
具体的には、４色の着色領域は、波長に応じて色相が変化する可視光領域（３８０−７８０ｎｍ）のうち、青系の色相の着色領域（「第１着色領域」とも呼ぶ。）、赤系の色相の着色領域（「第２着色領域」とも呼ぶ。）と、青から黄までの色相の中で選択された２種の色相の着色領域（「第３着色領域」、「第４着色領域」とも呼ぶ。）からなる。ここで「系」との語を用いているが、例えば青系であれば純粋の青の色相に限定されるものでなく、青紫や青緑等を含むものである。赤系の色相であれば、赤に限定されるものでなく橙を含む。また、これら着色領域は単一の着色層で構成されても良いし、複数の異なる色相の着色層を重ねて構成されても良い。また、これら着色領域は色相で述べているが、当該色相は、彩度、明度を適宜変更し、色を設定し得るものである。
【００７２】
具体的な色相の範囲は、
・青系の色相の着色領域は、青紫から青緑であり、より好ましくは藍から青である。
・赤系の色相の着色領域は、橙から赤である。
・青から黄までの色相で選択される一方の着色領域は、青から緑であり、より好ましくは青緑から緑である。
・青から黄までの色相で選択される他方の着色領域は、緑から橙であり、より好ましくは緑から黄である。もしくは緑から黄緑である。
【００７３】
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
【００７４】
これにより、従来のＲＧＢの着色領域よりも広範囲の色再現性を実現することができる。
【００７５】
また、上記では４色の着色領域による広範囲の色再現性を色相で述べたが、他の具体的な例として、着色領域を透過した光の波長で表現すると以下のようになる。
・青系の着色領域は、該着色領域を透過した光の波長のピークが４１５−５００ｎｍにある着色領域、好ましくは、４３５−４８５ｎｍにある着色領域である。
・赤系の着色領域は、該着色領域を透過した光の波長のピークが６００ｎｍ以上にある着色領域で、好ましくは、６０５ｎｍ以上にある着色領域である。
・青から黄までの色相で選択される一方の着色領域は、該着色領域を透過した光の波長のピークが４８５−５３５ｎｍにある着色領域で、好ましくは、４９５−５２０ｎｍにある着色領域である。
・青から黄までの色相で選択される他方の着色領域は、該着色領域を透過した光の波長のピークが５００−５９０ｎｍにある着色領域、好ましくは５１０−５８５ｎｍにある着色領域、もしくは５３０−５６５ｎｍにある着色領域である。
【００７６】
この波長は、透過表示の場合は、照明装置からの照明光がカラーフィルタを通して得られた数値である。反射表示の場合は、外光を反射して得られた数値である。
【００７７】
他の具体的な例として、４色の着色領域をｘ、ｙ色度図で表現すると以下のようになる。
・青系の着色領域は、ｘ≦0.151、ｙ≦0.200にある着色領域であり、好ましくは、0.134≦ｘ≦0.151、0.034≦ｙ≦0.200にある着色領域である。
・赤系の着色領域は、0.520≦ｘ、ｙ≦0.360にある着色領域であり、好ましくは、0.550≦ｘ≦0.690、0.210≦ｙ≦0.360にある着色領域である。
・青から黄までの色相で選択される一方の着色領域は、ｘ≦0.200、0.210≦ｙにある着色領域であり、好ましくは、0.080≦ｘ≦0.200、0.210≦ｙ≦0.759にある着色領域である。
・青から黄までの色相で選択される他方の着色領域は、0.257≦ｘ、0.450≦ｙにある着色領域であり、好ましくは、0.257≦ｘ≦0.520、0.450≦ｙ≦0.720にある着色領域である。
【００７８】
このｘ、ｙ色度図は、透過表示の場合は、照明装置からの照明光がカラーフィルタを通して得られた数値である。反射表示の場合は、外光を反射して得られた数値である。
【００７９】
これら４色の着色領域は、サブ画素に透過領域と反射領域を備えた場合、透過領域及び反射領域も上述した範囲で適用することができるものである。
【００８０】
また、照明装置１０におけるＲＧＢ光源としては、以下のものが好ましい。
・Ｂは発光する光の波長のピークが４３５ｎｍ−４８５ｎｍにあるもの
・Ｇは発光する光の波長のピークが５２０ｎｍ−５４５ｎｍにあるもの
・Ｒは発光する光の波長のピークが６１０ｎｍ−６５０ｎｍにあるもの
そして、ＲＧＢ光源の波長によって、上記カラーフィルタを適切に選定すればより広範囲の色再現性を得ることができる。
【００８１】
上記の４色の着色領域の構成の例としては、具体的には以下のものがあげられる。
・色相が、赤、青、緑、青緑の着色領域
・色相が、赤、青、緑、黄の着色領域
・色相が、赤、青、深緑、黄の着色領域
・色相が、赤、青、エメラルドグリーン、黄の着色領域
・色相が、赤、青、深緑、黄緑の着色領域
・色相が、赤、青緑、深緑、黄緑の着色領域
[電子機器]
次に、本実施形態に係る液晶表示装置を電子機器の表示装置として用いる場合の実施形態について説明する。
【００８２】
本実施形態に係る液晶表示装置１００に入力される画像信号としては、例えば、Ｒ、Ｇ１、Ｂ、Ｇ２の各色の画像信号が外部より直接入力されるとしても良いし、又は、ＲＧＢの各色の画像信号が外部より入力され、Ｒ、Ｇ１、Ｂ、Ｇ２の各色の画像信号に変換されるとしても良い。
【００８３】
ここで、液晶表示装置１００において、ＲＧＢの各色の画像信号がＲ、Ｇ１、Ｂ、Ｇ２の各色の画像信号に変換される場合について述べる。
【００８４】
図１４は、本実施形態の全体構成を示す概略構成の回路ブロック図である。ここに示す電子機器は、上記の液晶表示装置１００と、制御手段６１０を有する。制御手段６１０は、表示情報出力源６１１と、表示画像変換回路６１２と、タイミングジェネレータ６１４とを有する。
【００８５】
液晶表示装置１００において、入力されたＲＧＢの各色の画像信号がＲ、Ｇ１、Ｂ、Ｇ２の各色の画像信号に変換される場合、表示画像変換回路６１２は、パーソナルコンピュータなどの外部の表示画像出力源６１１より出力されたＲＧＢの各色の画像信号を、Ｒ、Ｇ１、Ｂ、Ｇ２の各色の画像信号に変換して、液晶表示パネル３０に出力する機能を有する。
【００８６】
表示画像変換回路６１２は、ＣＰＵ（Central Processing Unit）などの演算処理部６１２ａと、ＲＡＭ（Random Access Memory）などの記憶部６１２ｂとを備えて構成されている。演算処理部６１２ａは、表示画像出力源６１１より出力された入力画像のＲＧＢの各色の画像信号６１Ｒ、６１Ｇ、６１Ｂを、Ｒ、Ｇ１、Ｂ、Ｇ２の各色の画像信号６２Ｒ、６２Ｇ１、６２Ｂ、６２Ｇ２に変換する。記憶部６１２ｂには、所定の強度のＲＧＢの各色の画像信号と、これに対応する強度のＲ、Ｇ１、Ｂ、Ｇ２の各色の画像信号とを対応させたＬＵＴ（Look Up Table）が設けられている。例えば、演算処理部６１２ａに、Ｇ２の色を表示させるＲＧＢの各色の画像信号、例えば、Ｒ＝０、Ｇ＝１００、Ｂ＝１００の強度のＲＧＢの各色の画像信号が入力された場合、演算処理部６１２ａは、このＲＧＢの各色の画像信号の強度に対応する強度のＲ、Ｇ１、Ｂ、Ｇ２の各色の画像信号（例えば、Ｒ＝０、Ｇ１＝１０、Ｂ＝１０、Ｇ２＝１００）を、記憶部６１２ｂのＬＵＴより取得し、取得したＲ、Ｇ１、Ｂ、Ｇ２の各色の画像信号を液晶表示パネル３０へ出力する。これにより、液晶表示パネル３０の表示画面に、ＲＧＢの各色だけでなく、Ｇ２の色を表示することができる。このようにすることで、入力画像の画像信号として、ＲＧＢの画像信号が入力された場合においても、出力画像の色再現範囲をＧ２の色再現範囲に拡大することができる。
【００８７】
タイミングジェネレータ６１４は、タイミングモードを切り替えるためのハードスイッチ又はソフトスイッチを有し、画像信号の輝度信号よりクロック信号ＣＬＫを生成する。先に述べたＲＧＢの各色のＬＥＤ駆動回路５１は、タイミングジェネレータ６１４により決定されたクロック信号ＣＬＫに適合するように、駆動シーケンスが制御される。
【００８８】
次に、本実施形態に係る液晶表示装置１００を適用可能な電子機器の具体例について図１５を参照して説明する。
【００８９】
まず、本発明に係る液晶表示装置１００を、可搬型のパーソナルコンピュータ（いわゆるノート型パソコン）の表示部に適用した例について説明する。図１５（ａ）は、このパーソナルコンピュータの構成を示す斜視図である。同図に示すように、パーソナルコンピュータ７１０は、キーボード７１１を備えた本体部７１２と、本発明に係る液晶表示装置１００を適用した表示部７１３とを備えている。
【００９０】
続いて、本発明に係る液晶表示装置１００を、携帯電話機の表示部に適用した例について説明する。図１５（ｂ）は、この携帯電話機の構成を示す斜視図である。同図に示すように、携帯電話機７２０は、複数の操作ボタン７２１のほか、受話口７２２、送話口７２３とともに、本発明に係る液晶表示装置１００を適用した表示部７２４を備える。
【００９１】
なお、本発明に係る液晶表示装置１００を適用可能な電子機器としては、図１５（ａ）に示したパーソナルコンピュータや図１５（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００９２】
【図１】第１実施形態に係る液晶表示装置の平面図である。
【図２】第１実施形態に係る液晶表示装置の断面図である。
【図３】第１実施形態に係る光源部の構成を示す斜視図である。
【図４】第１実施形態に係る照明装置の平面図である。
【図５】光源パッケージの拡大断面図である。
【図６】光源パッケージ及び駆動回路の模式図である。
【図７】第１実施形態に係る赤色ＬＥＤ駆動回路の回路図である。
【図８】照明装置における各色のＬＥＤの駆動シーケンスを示したタイミングチャート。
【図９】第２実施形態に係る光源部の構成を示す斜視図である。
【図１０】第２実施形態に係る照明装置の平面図である。
【図１１】変形例に係る光源部の構成を示す斜視図である。
【図１２】変形例に係る光源部の構成を示す斜視図である。
【図１３】変形例に係る光源部の構成を示す斜視図である。
【図１４】本実施形態に係る液晶表示装置を適用した電子機器の回路ブロック図。
【図１５】本実施形態の液晶表示装置を適用した電子機器の例を示す図である。
【符号の説明】
【００９３】
１２  光源部、  １３  ＬＥＤ、  １４  拡散シート、  １５  プリズムシート、  １０  照明装置、  ７１  光源パッケージ、  ７２  フレキシブル基板、  ３０  液晶表示パネル、  １００  液晶表示装置
【図１】
2007213838.tif 000003
【図２】
2007213838.tif 000004
【図３】
2007213838.tif 000005
【図４】
2007213838.tif 000006
【図５】
2007213838.tif 000007
【図６】
2007213838.tif 000008
【図７】
2007213838.tif 000009
【図８】
2007213838.tif 000010
【図９】
2007213838.tif 000011
【図１０】
2007213838.tif 000012
【図１１】
2007213838.tif 000013
【図１２】
2007213838.tif 000014
【図１３】
2007213838.tif 000015
【図１４】
2007213838.tif 000016
【図１５】
2007213838.tif 000017